(57)【特許請求の範囲】
【請求項１】
メモリを有しかつある標準的なページングプロトコルによって送信されるメッセージを受信する選択呼出し受信機における、前記標準的なページングプロトコルを変更することなくデータを含む受信メッセージを記憶する方法であって、前記方法は前記選択呼出し受信機において、
入りメッセージを受信しかつデコードする段階であって、各々のメッセージは該メッセージのカテゴリを識別するためのヘッダ部分を有し、前記入りメッセージは第１のヘッダ部分を有する第１のメッセージおよび第２のヘッダ部分を有する第２のメッセージを含む、前記段階、
第１のカテゴリおよび第２のカテゴリを含む複数のカテゴリにしたがって受信メッセージを記憶するためにメモリにあるロケーションを提供する段階、
前記第１のカテゴリに対する第１の識別データおよび前記第２のカテゴリに対する第２の識別データをメモリに記憶する段階、
前記第１のメッセージの前記第１のヘッダ部分におけるデータを前記第１の識別データおよび前記第２の識別データと比較する段階、
前記第１のヘッダ部分が前記第１の識別データを含む場合にメモリの第１のカテゴリの下で前記第１のメッセージを記憶する段階、
前記第１のヘッダ部分が前記第２の識別データを含む場合にメモリの前記第２のカテゴリの下で前記第１のメッセージを記憶する段階、
前記第２のメッセージの前記第２のヘッダ部分におけるデータを前記第１の識別データおよび前記第２の識別データと比較する段階、
前記第２のヘッダ部分が前記第１の識別データを含む場合にメモリにおける前記第１のカテゴリの下で前記第２のメッセージを記憶する段階、そして
前記第２のヘッダ部分が前記第２の識別データを含む場合にメモリにおける前記第２のカテゴリの下で前記第２のメッセージを記憶する段階、
を具備するデータを含む受信メッセージを記憶する方法。
【請求項２】
メッセージの受信に応じてユーザ警報を発生する段階を含み、かつ該警報は受信メッセージの少なくともいくつかのカテゴリに対して異なる、請求項１に記載の方法。
【請求項３】
カテゴリおよびサブカテゴリにしたがってメッセージを記憶する段階、および各々のサブカテゴリに関連する識別データを記憶する段階を含む、請求項１に記載の方法。
【請求項４】
前記識別データは電話番号を含む、請求項１に記載の方法。
【請求項５】
前記識別データは人々の名前を含む、請求項１に記載の選択呼出し受信機。
【請求項６】
前記選択読出し受信機はカテゴリの名前を含むメモリを有し、かつ該メモリの内容をユーザの要求に応じて変える段階を含む、請求項１に記載の方法。
【請求項７】
ユーザの要求に応じて識別データのリストを変える段階を含む、請求項１に記載の方法。
【請求項８】
記憶されたメッセージおよび表示されるメッセージが記憶されるカテゴリの指示を表示する段階を含む、請求項１に記載の方法。
【請求項９】
少なくとも第１および第２のアドレスをメモリに記憶する段階を含み、前記第１のアドレスは情報サービスのカテゴリでメッセージを受信するためのものであり、かつ前記第２のアドレスは少なくとも第２の異なるカテゴリでメッセージを受信するためのものである、請求項１に記載の方法。
【請求項１０】
メモリを有しかつある標準的なページングプロトコルによって送信されるメッセージを受信する選択呼出し受信機における、前記標準的なページングプロトコルを変更することなくデータを含む受信メッセージを記憶する方法であって、該方法は選択呼出し受信機において、
入りメッセージを受信する段階であって、各メッセージは該メッセージのカテゴリを識別するためのヘッダ部分を有する、前記段階、
前記受信機が応答する少なくとも第１および第２のアドレスをメモリに記憶する段階であって、前記第１のアドレスは情報サービスのカテゴリにおけるメッセージを受信するためのものでありかつ前記第２のアドレスは少なくとも第２の異なるカテゴリでメッセージを受信するためのものである、前記段階、
複数のカテゴリにしたがって受信されたメッセージを記憶するためのメモリにおけるロケーションを提供する段階、
前記複数のカテゴリの各々に対して、メモリに識別データの関連するリストを記憶する段階、
受信されたメッセージにおけるヘッダ部分を前記複数のカテゴリの各々に対する前記記憶された識別データと比較しかつ、もし整合が検出されれば、前記受信されたメッセージを前記記憶された識別データと整合するヘッダ部分を有する１つまたはそれ以上の他の記憶されたメッセージと共にメモリにおける前記整合するカテゴリの下で記憶する段階、そして
記憶されたメッセージおよび表示されるメッセージが記憶されたカテゴリの指示を表示する段階、
を具備するデータを含む受信メッセージを記憶する方法。
【発明の詳細な説明】
発明の分野
この発明は一般的には、ページャとして知られたものを含む、選択呼出し受信機に向けられており、かつより特定的には無線送信を介して種々の種類のメッセージを受信可能な受信機に関する。
発明の背景
選択呼出し受信機は一般にいくつかの種別のメッセージを受信しかつデコード可能である。いくらかのメッセージは性質上個人的なものであり、かつ他のものはビジネスに関連するものであるかもしれない。他の種別のメッセージはいわゆる情報サービスによって送られるものである。この後者の種別のメッセージは情報サービスによって供給されるスポーツ情報、株式市場情報、または任意の他の形式の情報とすることができる。
情報サービスから発信するメッセージは次のようにしてページャに送られる。各々の情報サービスはすべてのその加入者に送られるべきメッセージを準備する。情報サービスは該メッセージを、通常公衆電話サービスを介して、ページングターミナルに送る。ページングターミナルは次にそのメッセージを所定のページャアドレスと整合し、かつ該アドレスと共にそのメッセージを送信する。その情報サービスに加入した各ページャはそのメモリ内に記憶されたその所定のアドレスを有し、それによって各々のそのようなページャが付随するメッセージを受信しかつデコードすることができる。
発生する問題は各ページャがそれが加入する各々の情報サービスに対して別個のかつ専用のアドレスを必要とすることである。例えば、４つの情報サービスに加入するページャは少なくとも５つの別個のアドレスを必要とし、すなわち、前記４つの情報サービスの各々に対して１つおよび他の伝統的なページングメッセージ（例えば、個人的なもの、ビジネス、その他）に対して第５のものを必要とする。より多くのページングユーザがより多くの情報サービスに加入するに応じて、ページャにとって利用可能な限られた数のアドレスはあまりにも早く枯渇する可能性がある。そのようなページャは４つほどの少しのアドレスに制限される。
伝統的なページャによって生じ得る他の欠点は、ユーザが、彼の受信したメッセージの内から、メッセージの中に述べられた顧客の電話番号のような情報の特定部分を迅速に取り出すことができないことである。もしユーザが種々のタイプの多数のメッセージを受信しており、かつ彼がこれらのメッセージの内から顧客の電話番号を読み出す必要があれば、所望の情報を捜し当てるためにメッセージを通して読むために望ましくないほど長い時間がかかる可能性がある。
従って、上に述べた問題を避けることができる選択呼出し受信機を提供し、かつこれをシステムオペレータに対してあるいはユーザに対して大きなコストのペナルティに頼ることなく可能にすることが望ましい。
【図面の簡単な説明】
図１は、本発明が使用されるページングシステムのブロック図である。
図２は、図１のシステムにおいて送信される種々のメッセージのフォーマットを示す。
図３は、本発明に従って構成されたページャの電気的ブロック図である。
図４は、受信されたメッセージのカテゴリを決定するために図３のページャによって使用される比較リストを示す。
図５および図６は共に、種々のカテゴリのメッセージを識別するためにページャのプロセッサがどのようにプログラムされるかを示すフローチャートである。
図７は、カテゴリによってメッセージを記憶するためにページャのメモリがどのように配列されるかを示す。
図８は、図３に示されるページャの正面図であり、ページャの表示装置および種々のユーザが作動可能なボタンを示す。
図９は、図３のページャが受信したメッセージのカテゴリおよびサブカテゴリの双方を決定するために使用できる別の比較リストを示す。
図１０は、カテゴリおよびサブカテゴリによってメッセージを記憶するためにページャのメモリがどのように配列できるかを示す。
図１１は、ページャをサブカテゴリによってメッセージを記憶するよう適合させるために行われる図５のフローチャートに対する種々の変更を示すフローチャートである。
図１２および図１３は共に、表示されたメッセージのカテゴリの指示と共にメッセージを表示するためにページャがどのようにプログラムされるかを示すフローチャートを構成する。
図１４は、カテゴリの名前を変更しかつ新しいカテゴリを加えるためにページャに対してユーザがユーザ制御を使用する一連の動作を示すフローチャートである。
図１５は、カテゴリまたはサブカテゴリに関連する識別データを変更するためにページャに対してユーザがユーザ制御を使用する一連の動作を示すフローチャートである。
好ましい実施形態の説明
図１を参照すると、ページャ１０，１２として示された、選択呼出し受信機がメッセージの種々の発信元（ｏｒｉｇｉｎａｔｏｒｓ）から種々のカテゴリのメッセージを受信することを意図したシステムが示されている。１つのそのようなカテゴリはここでは「情報サービス」と称され、ニュース、株式相場、その他のような情報の供給者（通常、商業的供給者）からの情報を意味する。
図１において、３つの情報サービスが示されており、すなわちスポーツ１４、ニュース１６および株式相場１８である。これら３つの情報サービスは単に利用可能な種々のタイプの情報サービスの例にすぎない。
情報サービス１４，１６および１８の目的はデータを加入ページャに送ることである。これは次のように行われる。情報サービスは典型的には公衆電話交換ネットワーク（ＰＳＴＮまたはＰＴＳＮ）２０を使用してそれらのメッセージを伝統的なページングターミナル２２に送る。ページングターミナル２２は該メッセージをキュー（ｑｕｅｕｅ）に入れかつ所望のページングプロトコル（例えば、ＰＯＣＳＡＧ（Ｐｏｓｔ  Ｏｆｆｉｃｅ  Ｃｏｄｉｎｇ  Ｓｔａｎｄａｒｄｓ  Ａｄｖｉｓｏｒａｒｙ  Ｇｒｏｕｐ））に従って送信するために各メッセージを準備する。ＲＦ（無線周波）送信機２３およびアンテナ２５が次に準備されたメッセージをカバレージエリアにわたり送信する。該メッセージは好ましくは図２に示されるようにフォーマットされる。
メッセージ２４，２６，２８，３０および３２は単純化した形式で示されており、かつそれらはページングターミナル２２から発出する。各々のそのようなメッセージは実際には通常使用されるページングプロトコルの部分であるプリアンブル、同期ビット、その他を含むことになるが、それらは簡略化のために示されていない。
メッセージ２４を参照すると、それはアドレス部分３４、メッセージの発信元または発信者を識別するヘッダ３６、および加入者に通信されるべき情報を含む部分３８を含むデータを備えている。
アドレス部分３４は「アドレス１（ａｄｄｒｅｓｓ１）」を含み、これは図１のシステムにおいて提供される情報サービスの少なくとも１つに加入するすべてのページャのための、典型的には３２ビットワードの、グループアドレスである。従って、スポーツサービス１４，ニュースサービス１６、または株式相場１８のいずれかに加入するすべてのページャはそのメモリに記憶された「アドレス１」を有しかつアドレス部分３４が「アドレス１」を含むすべてのメッセージに応答することになる（しかしながら、必ずしもデコードしない）。「アドレス１」を有するページャはアドレス部分３４が「アドレス１」を含むすべてのメッセージを受信し、そのメッセージのヘッダ部分３６を読むことにより応答する。後に説明する理由のため、スポーツサービス１４に加入しているページャのみがメッセージ２４の部分３８における情報をデコードすることができる。
ヘッダ部分３６は「スポーツ」を含み、引き続く情報がスポーツサービス１４から発信されたことを示す。最後に、部分３８はこのメッセージに含まれるスポーツ情報を含んでいる。
ヘッダ部分３６はメッセージの発信者によって（この場合、スポーツサービス１４）あるいはメッセージの発信者を決定することができるページングターミナル２２によってメッセージ２４内に入れることができることに注目すべきである。
メッセージ２６および２８を参照すると、それらのアドレス部分３４は共に「アドレス１」を含んでいる。その結果、このアドレスを有するあらゆるページャはこれらのメッセージの両方に応答することになる。ヘッダ部分３６は「ニュース」および「株式」に言及しており、メッセージ２６がニュースサービス１６から発信されたことおよびメッセージ２８が株式相場サービス１８から発信されたことを示している。各メッセージは部分３４内にそれ自身の情報を有する。
ページャ１０（図１）がスポーツサービス１４にかつニュースサービス１６に加入しており、かつページャ１２が株式相場サービス１８に加入しているものと仮定する。この場合、両方のページャは３つすべてのメッセージに応答するが、ページャ１０はメッセージ２４および２６の部分３８を読み（デコードし）、かつメッセージ２８の部分３８を読むことができない。ページャ１２はメッセージ２８の部分３８を読むが、メッセージ２４および２６の部分３８を読むことができない。
図１はまた、家族４０および職場（ｗｏｒｋ）４２のような、情報サービスでないメッセージの他の例示的な発信源を示す。明らかに、示されていない数多くのそのようなメッセージの供給源または発信源がある。
家族またはファミリ（ｆａｍｉｌｙ）４０がページャにメッセージを送る場合、そのメッセージのフォーマットは図２におけるメッセージ３０によって示される。この場合、アドレス部分３４はメッセージが向けられる１つのページャの独自のアドレス（「アドレス２（ａｄｄｒｅｓｓ２）」として示されている）を含んでいる。「家族」を含むものとして示された、ヘッダ部分３６は任意選択的なものである。それはページングターミナルのオペレータによってあるいはページングシステムにリンクしたキーボードへのアクセスを有する発信者によって挿入することができる。部分３８における情報は「アドレス２」のアドレスを有するページャによってのみ受信されかつ読まれることになる。
もしページャ１０が「アドレス２」ならびに「アドレス１」をもっておれば、ページャ１０はメッセージ２４，２６，２８および３０に応答するが、それはメッセージ２４，２６および３０のみの部分３８を読むことになる。それはメッセージ２８の部分３８を読まないが、その理由は株式サービスに加入していないからである。
もしページャ１２が「アドレス３（ａｄｄｒｅｓｓ３）」を有し（それはまた「アドレス１」をも有する）、かつ職場４２の誰かがメッセージ３２をメッセージ３２の任意選択的なヘッダ部分３６において発信者の電話番号と共に「アドレス３」に送れば、ページャ１２のみがメッセージ３２に応答しかつメッセージ３２の部分３８における情報を読むことになる。
本発明に従って動作する選択呼出し受信機が図３においてページャ４４として示されている。図示されたページャはアンテナ４６、ＲＦ復調器４８およびデジタルデコーダ５０を含む回路を有し、データを含む入りメッセージを受信しかつデコードする。アンテナ４６によって受信されたメッセージは伝統的な復調器４８によって復調されてこれもまた伝統的な構造を有するデコーダ５０への入力として復調されたアナログデータを提供する。
デコーダ５０から出力される信号はデコードされたデジタルデータでありこれは入力としてプロセッサ５２へと供給され、該プロセッサは、例えば、モトローラ・インコーポレイテッドにより制作されるＭＣ６８ＨＣ０５型とすることができる。プロセッサ５２もまた伝統的なものとすることができるが、ページャ４４が、後に説明するように、本発明に従って動作するようプログラムされる。
プロセッサ５２はＣＰＵ（中央処理ユニット）５４および該ＣＰＵのための命令プログラムを記憶するＲＯＭ（リードオンリメモリ）５６を含む。プロセッサはまたＣＰＵ５４からの信号をディスプレイドライバ６０に結合するための外部ポートインタフェース５８を含む。後者の装置は表示装置またはディスプレイ６２をドライブし、該表示装置は、デコードされたメッセージを表示するための、伝統的な液晶表示装置とすることができる。
メッセージの受信に応じてユーザ警報を発生するため、前記ＣＰＵは警報発生器６４に結合され、該警報発生器６４の出力はスピーカドライバ６６の入力に結合されている。スピーカ６８はドライバ６６の出力に結合されてページャ４４に向けられたメッセージの受信に際して可聴警報を発生する。後により詳細に説明するように、ページャ４４は、受信されたメッセージがどのカテゴリにあるかに応じて、異なる特性を有する警報を発生することができる。
タイマ７０はＣＰＵ５４に結合されてデジタルデコーダ（５０）からのデータを正確な間隔またはインターバルで集めるためのタイムベースを与える。それらはまた警報のための期間（ｔｉｍｅ  ｄｕｒａｔｉｏｎ）および多分ユーザインタフェースのための実時間クロックを保つ。
ユーザがページャの種々の機能を制御できるようにするため、ユーザ制御部が含まれている。図示された実施形態では、ユーザ制御部はボタンインタフェース８０および外部ポートインタフェース８２を介してＣＰＵに結合された「読出し（Ｒｅａｄ）」７２、「選択（Ｓｅｌｅｃｔ）」７４、「次へ（Ｎｅｘｔ）」７６および「前へ（Ｐｒｅｖｉｏｕｓ）」７８と題するユーザが作動可能なボタンの形式をとっている。該ボタンは受信されたメッセージが（読出しボタン７２の使用により）表示装置６２上に示されるようにし、ボタン７６および７８を使用してメッセージをスクロールし、および選択ボタン７４を使用して読出しメッセージを退出する（ｅｘｉｔ）するように使用することができる。カテゴリの名前および識別データを加えあるいは変更するためにこれらのボタンを使用することについては後に詳細に説明する。
プロセッサ５２はまた以下の記憶された要素、ユーザ警報シーケンス８６、比較リスト８８、メッセージメモリ９０およびプログラムメモリ９２を含むＲＡＭ（ランダムアクセスメモリ）８４を含む。
プログラムメモリ９２は一時記憶のためのあるいは新しいメッセージの（メッセージメモリ９０に記憶される前に）またはＣＰＵ５４によって行われた計算の結果のためのスクラッチパッドメモリとして作用する。
比較リスト８８およびメッセージメモリ９０は本発明の１つの態様に従ってページャ４４を動作させるためのキーとなる情報を含んでいる。おおざっぱにいえば、本発明のこの態様は始めに入りメッセージを受信し、カテゴリに従ってデコードされたメッセージを記憶するためにメモリに（例えば、メッセージメモリ９０に）ロケーションを提供し、各々のそのようなカテゴリに対して（比較リスト８８などに）識別データの関連するリストを記憶し、かつデコードされたメッセージのデータを前記記憶された識別データと比較することによってメッセージを記憶する方法を含む。もし整合が検出されれば、前記デコードされたメッセージは整合した識別データに関連するカテゴリの下でメモリに記憶される。
もし情報サービスからのメッセージに対して整合が検出されなければ（ページャがそのサービスに加入していないため）、メッセージは好ましくは捨てられる。もし他の供給源（情報サービスでないもの）からのメッセージに対して整合が検出されなければ、該メッセージは雑（ｍｉｓｃｅｌｌａｎｅｏｕｓ）カテゴリに記憶することができる。
ページャ４４は異なるカテゴリのメッセージを受信するから、ユーザにどのカテゴリのメッセージが受信されているかについて警報するのが望ましい。これは警報の特性を受信メッセージのカテゴリに依存するものとすることにより達成される。例えば、職場からのメッセージは単一の短いトーンからなる可聴警報を有するものとし、情報サービス（スポーツのような）からのメッセージは２つの短いトーンからなる可聴警報を有するものとすることができる。トーンの種々の組合せおよびシーケンスを使用してどのカテゴリのメッセージが受信されているかを示すことができる。あるいは、警報は、例えば、識別データと整合するメッセージの部分をピカッと光らせる（ｆｌａｓｈｉｎｇ）かあるいは目立たせる（ｈｉｇｈｌｉｇｈｔｉｎｇ）ことにより、生成された視覚的な刺激とすることができる。ＣＰＵに対してどの警報を選択すべきかを指令する情報はユーザ警報シーケンス８６に記憶される。
次に図４を参照すると、比較リスト８８がより詳細に示されている。好ましくは、ページャはメモリに、「アドレス１」および「アドレス２」（図２のアドレス１およびアドレス２に対応する）として示された、少なくとも第１および第２のアドレスを記憶している。もし希望するならばかつもし利用可能であれば余分のアドレスを使用することもできる。
「アドレス１」は情報サービスのカテゴリにおけるメッセージを受信するためのものであり、かつ「アドレス２」は少なくとも第２の、異なるカテゴリにおけるメッセージを受信するためのものである。図示された実施形態では、「アドレス２」はビジネス、友人および家族のカテゴリにおけるメッセージを受信するために使用される。いいかえれば、「アドレス１」と共に受信されるいずれの入りメッセージも情報サービスのカテゴリにあるものと想定され、かつ「アドレス２」と共に受信されるいずれの入りメッセージもビジネス、友人または家族のカテゴリにあるものと想定される。
少なくとも１つのカテゴリに対し、かつ好ましくは各々のカテゴリに対し、識別データの関連するリストが記憶される。情報サービスのカテゴリに対しては、前記識別データはスポーツ、株式およびニュースとして示されている（図４）。ビジネスのカテゴリに対しては、前記識別データは名前および電話番号に加えて用語「プロジェクト（ｐｒｏｊｅｃｔ）」、「レビュー（ｒｅｖｉｅｗ）」および「ランチ（ｌｕｎｃｈ）」を加えたものの示されたリストである。識別データの他のリストが友人および家族のカテゴリに対して示されている。
これらのアドレスおよび識別データのリストは次のように使用される。図５および図６を参照すると、図示されたフローチャートはページャのプロセッサが入りメッセージを処理するためにどのようにプログラムされるかを示す。メッセージ２４（図２）が送信されたものと仮定する。
第１の命令９４はページャに次の到来または入り（ｉｎｃｏｍｉｎｇ）アドレスを待機させる。次のアドレスが受信されたとき、命令９６はそれが新しいアドレスであるか否かを問い合わせる。もしそれが最近受信されかつ内部に記憶されたアドレスに整合しないことが分かったアドレスであれば、プログラムは命令９４に戻る。そうでない場合は、プログラムは次の命令に進む。
命令９８はプロセッサが受信アドレスを「アドレス１」と比較するようにさせる。メッセージ２４は「アドレス１」を含むから、そして「アドレス１」は図４に示されるようにメモリに記憶されているから、この比較は結果として整合を生じる（命令１００）。この時点で、プロセッサは受信メッセージが情報サービスのカテゴリになければならないことを知り、それは「アドレス１」に関連する唯一のカテゴリであるためである（図４）。
次の命令１０２によって、メッセージ全体がデコードされかつプログラムメモリ９２（図３）のような一時メモリに記憶される。次に命令１０４がヘッダ３６（図２）のデータをメモリに記憶されかつ情報サービスのカテゴリに関連する識別データと比較させる。ヘッダ３６に、かつ情報サービスのカテゴリ（図４）の下での識別データにおいて１０６で「スポーツ」が現れるから、整合が検出され（命令１０８）およびプログラムは命令１１０に進む。
ヘッダ（もしあれば）のみではなく、メッセージ全体が整合を検出する上で記憶された識別データ（ｉｄｅｎｔｉｆｙｉｎｇ  ｄａｔａ）と比較できることに注目すべきである。しかしながら、情報サービスに対しては、ヘッダを含めかつ比較をヘッダのデータに限定して処理時間を節約することが望ましい。情報サービスでないメッセージに対しては、ヘッダのみ（もしあれば）、あるいはメッセージのすべてのデータが整合のために調べられる。
図５に戻ると、入りメッセージがデコードされかつ該メッセージが情報サービスのカテゴリの下でのスポーツに関連することが判定される。命令１１０はそのメッセージがメッセージメモリ９０に、かつ特に「情報サービス」のために確保されたメモリロケーション１１２に記憶されるようにする。図７を参照。メッセージ２４の部分３８の内容は情報サービスのカテゴリ内の１１３に記憶される。
再び図５に戻ると、プログラムは命令１１１に進み、該命令１１１はページャが情報サービスのカテゴリにおけるメッセージの受信を通知する可聴警報および／または視覚的刺激を発生させる。
この時点で、ユーザは表示することを選択しかつメッセージを読むことができる。これを行うためには、ユーザは読出しボタン７２（図３）を作動させ、かつページャ４４がメッセージ、および該メッセージのカテゴリを図８に示されるようにその表示装置６２上に表示する。
図７に戻ると、メッセージメモリ９０はまたビジネスメッセージのためのロケーション１１４、家族のメッセージのためのロケーション１１６、友人のメッセージのためのロケーション１１８、および識別されたカテゴリにない雑メッセージのためのロケーション１２０を有するものとして示されている。未使用のメモリはメモリ９０のセクション１２２として示されている。
次の例に対しては、メッセージ２８（図２）が送られたものと仮定する。命令９４〜１１０の実行は結果としてプロセッサがヘッダ３６におけるデータ（株式）と情報サービスのカテゴリの下での「株式」の識別データ（図４）との間の整合を検出する結果となる。メッセージ２８の部分３８に含まれる情報は次に、１２２で示されるように、情報サービスのカテゴリの下でメモリ９０（図７）に記憶される。次に命令１１１により適切な警報が発生され、かつユーザはただちに（あるいは後に）受信メッセージを表示することができる。
メッセージ３０（図２）のような、情報サービスのカテゴリにないメッセージが送信されたものと仮定する。図５に示されるプログラムは前と同様に実行されるが、この場合命令１００を実行した結果として整合は検出されない。プログラムは命令１２６に移動しメッセージ３０に見られるアドレスを「アドレス２」と比較する。整合が検出されるから（命令１２８）、プログラムは命令１３０（図６）に進む。該メッセージはデコードされかつ一時的に記憶され、その後命令１３２はメッセージの残り、ヘッダ３６および部分３８の内容、がビジネスのカテゴリにおける識別データのリストと比較されるようにする。「家族」および「家に電話（ｃａｌｌ  ｈｏｍｅ）」はビジネスのカテゴリにおける識別データの間にないから、整合は検出されない（命令１３４）。その結果、プログラムは命令１３６に進む。
プロセッサは今や前記メッセージのデータを家族のカテゴリにおける識別データのリストと比較し、かつ前記メッセージにおける「自宅」または「ホーム」（ｈｏｍｅ）と識別データにおける「ホーム」の間に整合が検出される（命令１３８）。従って、次の命令１４０は前記メッセージの部分３８の内容をメッセージ９０（図７）のロケーション１１６（家族）内の１４２に記憶させる。次の命令１４４により、警報が発生されて家族のメッセージの受信を通知する。
前に述べたように、メッセージ３０および３２のヘッダ部分３６は任意選択的なものである。情報サービスのメッセージでないメッセージに対しても同じことが当てはまる。ヘッダ部分３６を含めることはページャがその記憶された識別データとヘッダの内容とを整合するためにのみ探す必要があるようにすることができるためそれを挿入することが実用的である状況において好ましいものである。もし部分３４の内容もまた記憶された識別データと比較されなければならない場合、より多くの処理時間が必要とされる。従って、ヘッダが含まれている場合、メッセージのカテゴリを識別するためにヘッダのみを探すことが好ましい。ヘッダが含まれていない場合、部分３８の内容が調べられてメッセージのカテゴリを決定する。ヘッダが含まれている場合にも、プロセッサはヘッダ３６および部分３８の双方を調べてメッセージのカテゴリを決定することもできる。これは図５および図６のプログラムにおいて続けられる手順である。
図６に戻ると、もし命令１３４がビジネスメッセージとの整合を検出すれば、それは命令１４６に進みかつ次に命令１４８に進んでビジネスカテゴリの下でメモリにメッセージを記憶しかつこれを通知する警報を発生する。例えば、もしメッセージ３２が「アドレス３」の代わりに「アドレス２」によって送られれば、命令１３４は電話番号“７７７−９８２３”とビジネスカテゴリの下で記憶された同じ番号（図４）との間に整合を発見する。メッセージの部分３８の内容はメモリ９０（図７）においてビジネスカテゴリの下で１５０に記憶される。
次にメッセージが友人のカテゴリで誰かから送信されたものと仮定すると、プログラムは命令１３８に進み、そこで何らの整合も検出されない。次の命令１５１は該メッセージを友人のリスト（図４）における識別データと比較する。もし整合が検出されれば（命令１５３）、メッセージは友人のメモリロケーション１１８（図７）に記憶され（命令１５５）かつ友人のカテゴリでのメッセージの受信を通知する警報が発生される（命令１５７）。
もし命令１５３において整合が検出されなければ、プログラムは雑メモリロケーション１２０（図７）にメッセージを記憶するために命令１６５に進む。次に包括的警報が命令１６７により発生される。
上の例は任意の数字または英字テキストがそのように記憶できることを示している。前記カテゴリの１つに独自的に関連する人々の電話番号および名前は記憶されるべき好ましい識別データの内にある。
上に述べた技術はページャが加入する各々の情報サービスに対して１つのアドレスを割当てる必要性を除去することが分かる。カテゴリにしたがってメッセージをソーティングすることにより、ページャは単一のアドレスで複数の情報サービスに加入できる。他のアドレスは職場、家族、その他のような発信者からの他のメッセージのために使用できる。
本発明の他の態様によれば、入りメッセージはユーザが突きとめ（ｌｏｃａｔｅ）かつ特定のメッセージを表示するのを容易にするためカテゴリおよびサブカテゴリによって記憶される。これを行なうために、ページャのＲＡＭ８４における比較リストが図９に示されるように編成される。
図示された実施形態では、比較リスト８８は２つのカテゴリのメッセージ、ビジネス１５２および個人１５４を示している。各カテゴリは「アドレス２」の下でアクセスされる。ページャはまた通常「アドレス１」または他のアドレスの下でアクセス可能な（図４に示されるもののような）情報サービスのカテゴリを有する。
ビジネスカテゴリ１５２を参照すると、それは、人々の名前、電話番号、およびビジネスメッセージにおいて使用される可能性のある用語を含む、種々の項目の識別データを含むものとして示されている。
ビジネスの２つのサブカテゴリが示されており、ミーティングのためサブカテゴリ１５６およびプロジェクトのための他のサブカテゴリ１５８である。各サブカテゴリはそれ自身の識別データと共に示されている。
個人のカテゴリ１５４もまた名前、電話番号および個人的メッセージにおいて見られる可能性のある用語を含んでいる。
個人のカテゴリの２つのサブカテゴリが示されており、家族のためのサブカテゴリ１６０、および約束（ａｐｐｏｉｎｔｍｅｎｔｓ）のための他のサブカテゴリ１６２であり、各々それ自身の識別データを有する。付加的なサブカテゴリを加えることができ、それらはビジネスカテゴリ１５２に対する、情報サービスカテゴリ１１２（図７）に対する、および任意の他のカテゴリに対する付加的なサブカテゴリを含む。
図９に示されるカテゴリまたはサブカテゴリの１つへと適合するメッセージが受信されたとき、それは図１０に示されるように編成できるメッセージメモリ９０に記憶される。図示の如く、メッセージメモリ９０はカテゴリおよびサブカテゴリによってメッセージを記憶する要望を反映するために再編成されている。ビジネスメッセージはミーティングおよびプロジェクトのためのサブカテゴリのロケーションを有するメモリロケーション１５９に記憶される。個人的またはパーソナルメッセージは家族および約束のためのサブカテゴリのロケーションを有するメモリロケーションに記憶される。雑メモリロケーション１６３はビジネスまたは個人のカテゴリに入らないメッセージのために設けられる。
前記サブカテゴリはプロセッサ５２へプログラムされる命令にしたがってアクセスされかつ使用される。図１１は、フローチャートの形式でそれらの命令を示す。それらの命令はページャがメッセージをサブカテゴリによって記憶するよう適応させることができる図５および図６のフローチャートに対するある種の変更を示している。
あるメッセージが「アドレス２」と共に送信され、ページャ４４がそのアドレスとの整合を検出しかつメッセージがデコードされかつメモリの未使用部分に格納されたものと仮定する（命令１６９）。命令１６４が次に受信されたメッセージのデータをビジネスカテゴリ１５２における識別データ（図９）と比較させる。メッセージが電話番号８４３−８８２４を含むものと仮定すると、ビジネスカテゴリ１５２における識別データにおける同じ番号との整合が検出され（命令１６６）、かつメッセージ全体が命令１６８によってビジネスカテゴリの下でページャのメッセージメモリ９０（図１０）内に記憶されるようになる。それはビジネスサブカテゴリの１つと関連するようにならない限りそこに留まっている。もしその同じメッセージがステートメント「私に電話下さい。パム（ｃａｌｌ  ｍｅ．Ｐａｍ）」を含んでおれば、そのステートメントは「ビジネス」の広いカテゴリの下で記憶され、それは該メッセージのテキストはサブカテゴリのいずれの識別データとも整合しないからである。
命令１７０はメッセージの内容が図９に示されるミーティングのリスト１５６に記憶された識別データと比較されるようにする。もし該メッセージのテキストが「２ＰＭに合いましょう。ビル（ｍｅｅｔ  ａｔ  ２ＰＭ．Ｂｉｌｌ）」であれば、“ＰＭ”との整合が検出され、かつ該メッセージは、ミーティングのサブカテゴリの下でメッセージロケーション１に示されるように、ミーティングのサブカテゴリの下でメッセージメモリ（図１０）に記憶される（命令１７２）。次に警報が発生されて（命令１７４）ミーティングのメッセージが受信されたことを通知する。
命令１７０に戻ると、もし整合が検出されなければ次の命令１７６がメッセージをプロジェクトのリスト１５８における識別データと比較させる。もし整合が検出されなければ、これはメッセージのどの部分もプロジェクトのリスト１５８またはミーティングのリスト１５６における識別データと整合しないことを意味する。したがって、前記メッセージはサブカテゴリの１つに適合せず、それはビジネスカテゴリの下で記憶された状態に留まり、かつビジネス警報が命令１７８によって発生される。
もし前記メッセージがプロジェクトのリスト１５８の識別データと整合すれば、プログラムは命令１７６から命令１８０に進み、該命令１８０はメッセージがプロジェクトのサブカテゴリの下でメモリに記憶されるようにする。プロジェクトの警報が命令１８２によって発生される。
次に、「個人（Ｐｅｒｓｏｎａｌ）」形式のメッセージが受信された場合を考える。命令１６６は整合を検出せず、したがってプログラムは命令１８４に進み個人のカテゴリ１５４（図９）の下での識別データとの整合を捜す。もし整合が検出されれば（命令１８６）、メッセージは個人のカテゴリの下でメモリ９０に記憶される（命令１８８）。メッセージがサブカテゴリにおいて適合するか否かを決定するため、命令１９０は前記メッセージが家族のリスト１６０において見られる識別データと比較させる。もし整合が検出されれば、前記メッセージは家族のカテゴリの下でメモリ９０に記憶され（命令１９２）かつ家族の警報が発生される（命令１９４）。
もし命令１９０によって何らの整合も検出されなければ、プログラムは命令１９６に進み約束（Ａｐｐｏｉｎｔｍｅｎｔｓ）のリストにおける識別データとの整合を捜す。もし何らの整合も検出されなければ、命令１９８によって個人の警報が発生される。もし整合が検出されれば、命令２００はメッセージが約束のサブカテゴリの下でメモリ９０に記憶されるようにし、かつ命令２０１は約束の警報が発生されるようにする。
命令１８６に戻ると、何らの整合も検出されないことは受信されたメッセージがビジネスのカテゴリにもなく個人のカテゴリにもないことを示す。したがって、プログラムは命令２０２に進み該メッセージを雑メッセージに対するメモリロケーション１６３（図１０）に記憶しかつ次に命令２０４に進み包括的または一般的警報を発生する。
本発明の他の態様によれば、各々のデコードされたメッセージは表示されたメッセージが記憶されるカテゴリの指示と共に表示される。これは、次に参照する、図１２および図１３のフローチャートによって示されるようにプロセッサ５２の適切なプログラミングによって達成される。
命令２０６はページャ４４が、この例では、ビジネスのカテゴリである現在の（ｃｕｒｒｅｎｔ）カテゴリのメッセージを表示するようにさせる。もしユーザがビジネスのカテゴリの下で記憶されたメッセージを読むことを希望すれば、読出しボタンが押される（ステップ２０８）。これに対し、もしユーザが異なるカテゴリの下でのメッセージを読むことを希望すれば、彼は「次へ」ボタンを押す（２１０）。
ユーザがビジネスカテゴリの下に記憶されたメッセージを読み出すことを希望するものと仮定すると、読出しボタンが押圧されかつプログラムは命令２１２に進み、該命令はページャが該カテゴリの名前、メッセージ番号、およびデータの最初のスクリーンを表示するようにさせる。例えば、もしページャが図７に示されるようなメッセージを記憶しておれば、表示装置は今や番号１（メッセージ番号１を示す）およびそのメッセージのテキスト（「１ＰＭにランチ」）を示すことになる。
もしメッセージの内容がページャの表示装置上で一度に表示できるより長ければ、メッセージの残りは次のようにして表示できる。ユーザが「次へ」ボタンを再び押したとき（ステップ２１４）、命令２１６は本メッセージが表示装置上で表示できるより長いか否かを問い合わせる。もし答えがイエスであれば、プログラムは命令２１８に進み次のスクリーンのデータを表示する。「次へ」ボタンが再び押圧されたとき（ステップ２２０）、命令２２２は最後のスクリーンのデータが問題のメッセージに対して表示されたかを問い合わせる。もし答えがノーであれば、プログラムは該メッセージの全てのテキストが表示されるまで命令２１８および２２２を通ってループすることができる。
メッセージが完全に表示された後、プログラムは命令２２２から（または命令２１６から）命令２２４に進み、該命令２２４はビジネスカテゴリのメッセージの最後のものが読まれたか否かを判定する。もし答えがイエスであれば、プログラムはパス２２６を介して最初の命令２０６に戻る。もし答えがノーであれば、プログラムはビジネスカテゴリ内の次のメッセージを選択するために命令２２８に進む。プログラムは次にカテゴリ名、次のメッセージ番号、およびその次のメッセージに対するデータの最初のスクリーンを表示するために命令２１２に戻る。
命令２１２〜２２８の実行の間の任意の時間にユーザは単に読出しボタンを押すのみでそのカテゴリ内の次のメッセージに進むことができる。例えば、命令２１２がメッセージを表示するようにした後、ユーザは読出しボタンを押圧して（ステップ２３０）命令２２４および２２８を介してそのカテゴリ内の次のメッセージに進むことができる。命令２１８からのパス２３２もまたユーザが読出しボタンを押圧しかつプログラムが命令２２４および２２８に進むようにすることにより次のメッセージが読み出せるようにする。
ユーザはまた選択ボタンを押圧することによりプログラムのこの部分を退出しかつ異なるカテゴリを選択することができる（ステップ２３４）。これはプログラムを命令２１２からパス２３６を介して、または命令２２２からパス２３８を介して最初の命令２０６に戻させる。
命令２０６に戻ると、「次へ」ボタンを押圧することは（ステップ２１０）プログラムを命令２４０に移行させ、該命令２４０はページャがアルファベット順に次のメッセージを見つけ出しかつ表示するようにさせる。この例では、家族（ｆａｍｉｌｙ）のカテゴリが次のものである。ユーザが家族のカテゴリのメッセージを読むことを希望しないものと仮定すると、「次へ」ボタンを再び押圧することは（ステップ２４２）プログラムを命令２４４へ進ませ、該命令２４４はページャがアルファベット順で次のカテゴリを見つけ出しかつ表示するようにさせる（友人：ｆｒｉｅｎｄｓ）。友人のカテゴリにおけるメッセージを読むためには、読者は読出しボタンを押圧し（ステップ２４６）、それによって次の命令２４８がページャに該カテゴリの名前、メッセージ番号および最初のメッセージに対するデータの最初のスクリーンを表示させる。
この時点で、ユーザは友人のカテゴリ内の現在のメッセージおよび付加的なメッセージを読み続けることができ、あるいはユーザは選択ボタンを押圧し（ステップ２５０）かつアルファベット順に次のカテゴリを見つけ出しかつ表示するために命令２４４に戻ることができる。もし選択ボタンが押されなければ、ユーザは「次へ」ボタンをもし（ステップ２５２）（図１３）かつプログラムを命令２５４に進めて現在のメッセージに対して１つより多くのデータのスクリーンがあるか否かを判定することができる。もし１つより多くのデータのスクリーンがあれば、プログラムは次のスクリーンのデータを表示するために命令２５６へと続く。ユーザは命令２６０および２５６を通ってループを続けるために「次へ」ボタンを押し続けることにより（ステップ２５８）それが完全に表示されるまでそのメッセージに対するデータを通って進み続けることができる。
現在のメッセージが完全に表示された後、プログラムは命令２６２に進みこの現在の（友人の）カテゴリの下に最後のメッセージが読まれたか否かを判定する。もし答えがノーであれば、プログラムは命令２６４に進み同じカテゴリ内の次のメッセージを選択し、かつ次に該メッセージを表示するために命令２４８に戻る（図１２）。このカテゴリにおける次のメッセージに進むことはまたユーザが前のメッセージが表示されている間に読出しボタンを押圧することによって達成できる（ステップ２６６またはステップ２６７）。
本発明の別の態様によれば、ユーザは新しいカテゴリを加え、メモリの内容を変えることにより現存するカテゴリの名前を変えるなどによりカテゴリの名前を変更することができる。前に述べたように、ページャはその内容がカテゴリの名前を含む少なくとも１つのメモリを有する。ユーザ制御、およびプロセッサ５２のプログラミングはユーザがこのメモリの内容を、図１４に示されるように、変えることができるようにする。
図１４は、ページャ４４、その表示装置６２、および伝統的なプログラミング技術を使用してプロセッサ５２へとプログラムされた一連の高レベルプロンプト（ｈｉｇｈ  ｌｅｖｅｌ  ｐｒｏｍｐｔｓ）を示す。示されたシーケンスはページャが「ビジネスメッセージ」を表示することによって開始する。該シーケンスの次のステップはユーザがページャ上に示されたボタンの１つを押すことを含む。以下のステップは直前のステップに応じてテキストプロンプト（ｔｅｘｔ  ｐｒｏｍｐｔ）を表示するページャの表示装置６２（完全なページャではなく）を示している。このシーケンスは図１４を通って直列的に続く。
図示された例では、ユーザが“ＢＡ”と称される新しいカテゴリを作成することを望んでいるものと仮定する。この処理を開始するため、ユーザは選択ボタンを押圧し（ステップ２６８）、ページャの表示装置６２が変化して、「現存のカテゴリに加える？（Ａｄｄ  ｔｏ  ａｎ  ｅｘｉｓｔｉｎｇ  ｃａｔｅｇｏｒｙ？）」と問い合わせる（ステップ２６９）。この例では、ユーザは現存するカテゴリに名前を加えることを希望するのではなく、完全に新しいカテゴリに命名することを希望している。したがって、ステップ２７０において、ユーザは表示装置がプロンプト「新しいカテゴリを作成？（ｃｒｅａｔｅ  ａ  ｎｅｗ  ｃａｔｅｇｏｒｙ？）」を表示するまで「次へ（Ｎｅｘｔ）」ボタン（または「前へ（Ｐｒｅｖｉｏｕｓ）」ボタン）を押す（ステップ２７１）。そのプロンプトが存在する場合、ユーザは選択ボタンを押すことにより肯定的に応答する（ステップ２７２）。表示装置は今やユーザに新しいカテゴリ名を入力することを促し（ステップ２７３）、かつ新しい名前の作成を開始するためにどこに新しい文字が挿入できるかを指示するためカーソル２７４を示す。ユーザは次に「次へ」ボタンを押圧し（ステップ２７６）、表示装置に文字Ａをカーソル２７４の場所に配置させる（ステップ２７７）。この時点で、ユーザは「次へ」および「前へ」ボタンを使用して新しい名前の各文字を入力することができる。「次へ」ボタンはアルファベットにおいて前方向にスクロールするために使用され、「前へ」ボタンは逆方向にスクロールするために使用される。この場合、ユーザは「次へ」ボタンを押圧して（ステップ２７８）前方向にスクロールし、それに応じて表示装置のＡはＢに変化する（ステップ２７９）。ユーザが新しいカテゴリの最初の名前で文字Ｂを使用することを希望しているから、ユーザは今や選択ボタンを押圧する（ステップ２８０）。この動作は文字Ｂを新しい名前の最初の文字として選択し、かつ表示装置は次にカーソルを選択されたＢの右に移動させることにより選択されるべき次の文字の位置を指示するよう変化する。この時点で、ユーザは「次へ」ボタンを押圧して（ステップ２８２）文字Ａを表示装置上に示すために前方向にスクロールする（ステップ２８３）（あるいは、ユーザは「前へ」ボタンを使用して文字Ａを再び見つけるためにアルファベットを逆方向にスクロールすることができる）。表示装置は今や新しいカテゴリの所望の名前を構成する文字ＢＡを示しているから、ユーザは選択ボタンを押圧する（ステップ２８４）。表示装置は次にカーソルを次の位置に移動するが（ステップ２８５）、全ての所望の文字が選択されているから、ユーザは読出しボタンを押す（ステップ２８６）。これは新しいカテゴリに対する名前の入力を完了させ、かつ表示装置６２は新しいカテゴリ名を現在のカテゴリとして表示する（ステップ２８７）。
本発明の他の態様によれば、ページャのプロセッサ５２はユーザ制御に応答してカテゴリまたはサブカテゴリに関連する識別データ（ｉｄｅｎｔｉｆｙｉｎｇ  ｄａｔａ）を変えることができる。これは、図１４に関して説明したように、カテゴリ名が変えられたのと同様の方法で行なうことができる。使用される技術が、次に参照する、図１５に示されている。
図１４と同様に、図１５はその読出し、選択、次へ、および前へボタンを備えたページャ４４、およびテキスト「ビジネスメッセージ」を示すものとして図示されたその表示装置６２の図示によって始まる。ページャ上の図示されたボタンの内の選択されたものは表示装置６２上にテキストプロンプトを引き出すために使用されることになる。表示装置６２は表示装置が応答している直前のボタンの作動と共に交互のシーケンスで示されている。
最初のステップ２９０はユーザが選択ボタンを押すことを含む。これは表示装置にプロンプト「現存のカテゴリに加える？（Ａｄｄ  ｔｏ  ａｎ  ｅｘｉｓｔｉｎｇ  ｃａｔｅｇｏｒｙ？）」を表示させる（ステップ２９２）。ユーザは現存のカテゴリに名前を加えることを希望していないから、ユーザは再び選択ボタンを押圧して（ステップ２９４）ユーザがビジネスカテゴリにデータを加えることを希望するか否かを問い合わせるプロンプトへとスクロールする（ステップ２９６）。この例では、ユーザはデータをビジネスカテゴリに加えることを希望しておらず、むしろデータを新しい名前ＡＢの形式で友人のカテゴリの名前のリストに加えることを希望している。図４および比較リスト８８を一時的に参照すると、これは「アドレス２」の下でアクセス可能なものとして示された友人のカテゴリの下で名前ＡＢを加えることに帰する。
図１５に戻ると、ユーザはビジネスカテゴリにデータを加えることを希望せず、したがって彼は「次へ」ボタンを押圧する（ステップ２９８）。これに応じて、表示装置は「友人のカテゴリにデータを加える？（Ａｄｄ  ｄａｔａ  ｔｏ  ｆｒｉｅｎｄｓ  ｃａｔｅｇｏｒｙ？）」を示す（ステップ３００）。これはユーザが希望するものであるから、彼は選択ボタンを押圧し（ステップ３０２）かつ表示装置は次に新しい友人のデータを入力するよう通知し、かつ新しいデータの最初の文字が入力されるべき場所を示すためにカーソル３０３を表示する。ユーザは次に新しい所望の文字を選択するためにアルファベットにわたるスクロールを開始するため「次へ」ボタンを押す（ステップ３０６）。ステップ３０８において、表示装置はカーソル３０３があった場所に文字Ａを示すことにより「次へ」ボタンの最初の作動の結果を示す。次の文字を選択するため、ユーザは選択ボタンを押圧し（ステップ３１０）、これに応じて表示装置は今やカーソル３０３をステップ３１２に示されるように右に移動する。次の文字を突き止めるためアルファベットにわたりスクロールするため、ユーザは「次へ」ボタンを押圧し（ステップ３１４）、表示装置にカーソル３０３の最後の位置に文字Ａを表示させる（ステップ３１６）。スクロールを続けるため、ユーザは「次へ」ボタンを再び押圧し（ステップ３１８）、かつ表示装置は今や第２の位置に文字Ｂを示す（ステップ３２０）。これはユーザが友人のカテゴリにおいて入力することを希望する所望の名前であるから、ユーザは読出しボタンを押圧して（ステップ３２２）この名前がメモリに記憶されるようにする。表示装置は今や現在のカテゴリとして「友人のメッセージ（Ｆｒｉｅｎｄｓ  Ｍｅｓｓａｇｅｓ）」テキストを表示する（ステップ３２４）。
メッセージを分類する上に述べた技術から数多くの利点が生じることが理解されるであろう。始めに、複数の情報サービスが単一のアドレスを使用することによりページャによって加入者できる。他のアドレスはメッセージの全ての他のカテゴリのために使用できる。
さらに、記憶されたメッセージにおける情報がより容易にアクセスされ、それはユーザは問題のカテゴリまたはサブカテゴリにおけるメッセージのみを呼び出しかつ表示することができるからである。特定の項目の情報を見つけるためにいくつかのカテゴリのメッセージをスクロールする必要はない。
さらに、ユーザは発生される対応する警報により彼のページャが受信したメッセージのカテゴリを知ることができる。もしユーザが緊急の家族のメッセージを期待しているが、警報が受信されたメッセージが情報サービスであるものとして識別させれば、ユーザは迅速に受信されたメッセージが彼が待機している緊急のメッセージでなくかつ直ちに読む必要がないという事実に気がつくようにされる。
さらに、ユーザがカテゴリの名前および該カテゴリに対する識別データをカスタム化することが可能なことはページャを多様なユーザにとって有用なものとする。
本発明が好ましい実施形態に関して説明されたが、当業者には本発明から離れることなく数多くの修正および変更を行なうことが可能なことは明らかであろう。したがって、全てのそのような変更および修正は添付の請求の範囲によって規定される本発明の精神および範囲内に含まれるものと考えられる。
【図１】
0003668495.tif 000002
【図２】
0003668495.tif 000003
【図３】
0003668495.tif 000004
【図４】
0003668495.tif 000005
【図５】
0003668495.tif 000006
【図６】
0003668495.tif 000007
【図７】
0003668495.tif 000008
【図８】
0003668495.tif 000009
【図９】
0003668495.tif 000010
【図１０】
0003668495.tif 000011
【図１１】
0003668495.tif 000012
【図１２】
0003668495.tif 000013
【図１３】
0003668495.tif 000014
【図１４】
0003668495.tif 000015
【図１５】
0003668495.tif 000016